(57)【特許請求の範囲】
【請求項１】
複数のキーを有するキーボードベースと、該キーボードベースの保護部材であるパネルと、を有し、
前記パネルは、前記キーボードベースから取り外し可能に構成されており、且つ、
前記パネルは、前記キーボードベースに取り付けられた場合に、前記キーボードベースにおける複数のキー同士の間に接する粘着材を前記キーボードベース側である裏面に有する
ことを特徴とする、キーボード。
【請求項２】
アイソレーションキーボードであり、
前記パネルは、前記複数のキーの間の枠状の部分が連結してなる保護部材であり、
前記粘着材は、前記パネルの裏面の全面に貼り付けられている
ことを特徴とする、請求項１に記載のキーボード。
【請求項３】
前記粘着材は、エステル系ポリウレタンポリマーからなることを特徴とする、請求項１又は２記載のキーボード。
【請求項４】
前記パネルと前記粘着材が一体化していることを特徴とする、請求項１から３のいずれか１項記載のキーボード。
【発明の詳細な説明】
【技術分野】
【０００１】
本発明は、キーボードに関し、詳細には、アイソレーションキーボードのメンテナンス性を向上する技術に関する。
【背景技術】
【０００２】
パーソナルコンピュータなどのキーボードデバイスにおいては、従来、指と接触して押し下げられるキートップとキートップの間にＶ字状の溝があるものが知られている（例えば、図６）。その溝を介してキーボード内部にホコリ等の塵芥が入ってしまい、清潔感が損なわれたり、キーが打ちにくくなったりするという課題が、従来知られている。
【０００３】
そのような課題に対しては、キーボードの上面全部を覆うキーボードカバーを掛けることで対処することが知られている。しかしながら、キーが打ちにくくなったり、キートップの印字が読みにくくなったりするデメリットもある。これに対して、特許文献１は、シリコンゴムなどの柔軟素材を用い、キートップの部分をくりぬき開け、キーを表に出したキーボードカバーを提案している。
【先行技術文献】
【特許文献】
【０００４】
【特許文献１】特開２００１−２０９４７９号公報
【発明の概要】
【発明が解決しようとする課題】
【０００５】
一方で、近時、「アイソレーション・キーボード」と呼ばれる、キートップ同士の間にパーティションのパネルを持つタイプのキーボードが増えている（例えば、図７）。このタイプのキーボードは、上記従来のキーボードよりもホコリやゴミの侵入が軽減されるが、それでもやはり、キーボード内部にホコリやゴミが侵入してしまう。ところが、アイソレーションキーボードは、通常パネル部分が固定されており、内部を開けない。そのため、内部に入ったホコリ等の掃除が困難であった。
【０００６】
本発明は、上記実情に鑑みてなされたものであって、内部メンテナンスが容易なキーボードを提供することを目的とする。
【課題を解決するための手段】
【０００７】
上記目的を達成するために本発明は、複数のキーを有するキーボードベースと、該キーボードベースの保護部材であるパネルと、を有し、前記パネルは、前記キーボードベースから取り外し可能に構成されており、且つ、前記パネルは、前記キーボードベースに取り付けられた場合に、前記キーボードベースにおける複数のキー同士の間に接する粘着材を前記キーボードベース側である裏面に有することを特徴とする、キーボードを提供するものである。
【発明の効果】
【０００８】
本発明によれば、内部メンテナンスが容易なキーボードを提供することが可能となる。
【図面の簡単な説明】
【０００９】
【図１】本発明の実施形態のキーボード１の分解図（その１）である。
【図２】本発明の実施形態のキーボード１の分解図（その２）である。
【図３】本発明の実施形態のキーボード１の断面の模式図（その１）である。
【図４】本発明の実施形態のキーボード１の断面の模式図（その２）である。
【図５】本発明の実施形態のキーボード１の分解図（その３）である。
【図６】従来のキーボードを例示する図である。
【図７】従来のアイソレーションキーボードを例示する図である。
【発明を実施するための形態】
【００１０】
図１と図２に、本実施形態のキーボード１の分解図を示す。
図示のように、キーボード１は、キーボードベース２（図２）とパネル３（図１）を有している。パネル３は、キーボード１から取り外し可能であり、キーボードベース２にパネル３を嵌めこみ組み立てることでキーボード１が組みあがる。
【００１１】
キーボード１は、キーとキーとの間の溝に、枠状の部材が存在するアイソレーションキーボードと呼ばれるタイプのキーボードである。その枠状の部材は、パネル３の一部分である。キーボードベース２には、各キーが配設されており、各キーのキートップ（キーの上面）にはそのキーに割り当てられた文字等が印字されている。キーボードベース２は、配設されたキーの打鍵を検知して、検知したキーに対応する信号を出力するデバイスである。
【００１２】
パネル３は、アイソレーションキーボードにおけるキーとキーとの間の枠状の部分が連結してなる保護部材である。パネル３によってキーとキーとの間が覆われ、キーボードベース２が保護される。図１には、パネル３の上面（表面）を示しているが、パネル３の裏面は、好ましくは凹凸がない平面で、裏面全面にシート状の粘着材４が貼り付けられている。
【００１３】
図３に、キーボード１の断面の模式図（その１）を示す。
図３に示す状態は、キーボードベース２にパネル３が装着されている状態である。キーボードベース２には、各キーのキーキャップ５が設置されている。パネル３の裏面には、粘着材４が貼り付けられている。図３に示すように、キーキャップ５は可動式であり、キーキャップ５を押下すると、キーボード１はそのキーが押されたことを検知する。また、キーボード１はアイソレーションキーボードであり、ゴミやホコリがキーボード内に入りにくい構造ではあるが、パネル３とキーキャップ５の間にわずかに隙間があり、図中矢印Ａで示したようにホコリやゴミが内部に入る場合がある。
【００１４】
図４に、キーボード１の断面の模式図（その２）を示す。
図４に示す状態は、キーボード１からパネル３を外した状態である。本実施形態は、キーボード１からパネル３を取り外し可能に構成していることで、従来困難であったキーボード内部のホコリやゴミのクリーニングをしやすくなる。すなわち、本実施形態のキーボード１は、内部メンテナンスが容易である。
【００１５】
また、本実施形態は、パネル３の裏面（内側の面）に粘着力を有する構成であるため、キーボード内部のホコリやゴミが、取り外し可能なパネル３の粘着力を有する面に吸着し、従来困難であったキーボード内部のホコリやゴミのクリーニングがさらに容易になる。
【００１６】
また、パネル３がキーボード１から取り外し可能に構成されているため、ユーザがキーボード１を使用している間に、パネル３が浮き上がる可能性がある。ところが、本実施形態は、パネル３の内側の面に吸着力を有するため、パネル３の浮きを防止することができる。
【００１７】
粘着材４の材料としては、水洗いすることで粘着性が復活する粘着材とすることが好ましい。例えば、エステル系ポリウレタンポリマーや、ウレタン系の特殊粘着エラストマーなどが利用できる。粘着材４はゲル状になっていてもよい。
【００１８】
パネル３の材料としては、限定するものではないが、例えば、ポリカーボネート・ＡＢＳ樹脂アロイ（ポリカＡＢＳ）が利用できる。また、パネル３と粘着材４の間に、接着層を設けて、容易には剥離しないようにすることが好ましい。
【００１９】
あるいは、接着層を設けることに替えて、パネル３と粘着材４を融着させて、パネル３と粘着材４を一体化させてもよく、この場合、パネル３と粘着材４が容易に剥離しないのでユーザが取り扱いしやすくなる効果がある。
【００２０】
図５に、キーボード１の分解図（その３）を示す。
図５に示すように、キーボードベース２に取り付けガイド６を、パネル３に取り付けガイド７を設けることが好ましい。取り付けガイド６は突起状の部分を有しており、一方取り付けガイド７は前記突起状の部分が嵌る孔部を有する（逆でもよい）。このような取り付けガイドを備えている場合、ユーザはキーボード１の内部のクリーニング後、パネル３とキーボードベース２を組み立てる際、まず取り付けが緯度６、７同士を合わせ、位置合わせを行ってからスムーズに組み立てることができる。したがって、メンテナンス性が向上する。取り付けガイド６、７は、図５に示すように、複数有すると位置合わせが容易になる。
【００２１】
以上に説明した本実施形態は、種々の変形実施が可能である。また、上記に開示した構成は互いに組み合わせることができる。
【符号の説明】
【００２２】
１    キーボード
２    キーボードベース
３    パネル
４    粘着材
５    キーキャップ
６，７    取り付けガイド
【図１】
0005791327.tif 000002
【図２】
0005791327.tif 000003
【図３】
0005791327.tif 000004
【図４】
0005791327.tif 000005
【図５】
0005791327.tif 000006
【図６】
0005791327.tif 000007
【図７】
0005791327.tif 000008